(57)【要約】  移動通信ネットワークの受信器は、少なくとも２つのチャネルで送信された信号を受信するための受信ユニットと、各送信チャネルのチャネル推定を形成するためのチャネル推定器と、少なくとも２つのリニアフィルタであって、その各々が、チャネルで受信した信号をフィルタリングするように構成され、且つその各々が、フィルタリングを定義するフィルタ係数を有するようなリニアフィルタと、チャネル推定及びフィルタ係数を畳み込みすることにより少なくとも１つの合成重みを形成するための計算ユニットと、少なくとも１つの合成重みでフィルタリングされた信号を重み付けすることにより少なくとも２つのフィルタ特有の重み付けされた信号を形成すると共に、その少なくとも２つのフィルタ特有の重み付けされた信号を合成して、送信信号の推定を与えるように構成された合成器とを備えている。【選択図】図３
2008518537.tif 000002
【特許請求の範囲】
【請求項１】
移動通信ネットワークにおける受信器であって、
少なくとも２つのチャネルを経て送信された信号（送信信号）を受信する受信ユニットと、
各送信チャネルに対してチャネル推定を形成するチャネル推定器と、
各々が、受信した送信信号の各々をフィルタリングするように構成されかつ該フィルタリングを定めるフィルタ係数を有する、少なくとも２つのリニアフィルタと、
各チャネル推定と各フィルタ係数とを畳み込むことにより少なくとも１つの合成重みを形成する計算ユニットと、
フィルタリングされた信号を前記少なくとも１つの合成重みを用いて重み付けすることにより少なくとも２つのフィルタ特有の重み付けされた信号を形成し、かつ、前記少なくとも２つのフィルタ特有の重み付けされた信号を合成して前記送信信号に対する推定を得る、ように構成された合成器と、
を備えたことを特徴とする受信器。
【請求項２】
前記少なくとも２つのリニアフィルタが、第１のフィルタ係数を有する第１のリニアフィルタと第２のフィルタ係数を有する第２のリニアフィルタとを含み、
前記第１のフィルタが、第１のチャネル係数を有する第１のチャネルを受信するように構成され、
前記第２のフィルタが、第２のチャネル係数を有する第２のチャネルを受信するように構成される、
前記第２のフィルタが、第２のチャネル係数を有する第２のチャネルを受信するように構成される、請求項１に記載の受信器。
【請求項３】
前記計算ユニットが、前記第１のフィルタ係数と前記第１のチャネル係数とを畳み込むことにより第１の合成重みを形成するように構成され、
前記合成器が、形成された前記第１の合成重みを適用することにより前記第１のフィルタに対するフィルタ特有の重み付けされた信号を形成するように構成された、請求項２に記載の受信器。
【請求項４】
前記計算ユニットが、前記第１のフィルタ係数と前記第２のチャネル係数とを畳み込むことにより第２の合成重みを形成するように構成され、
前記合成器が、形成された前記第２の合成重みを適用することにより前記第１のフィルタに対するフィルタ特有の重み付けされた信号を形成するように構成された、請求項２に記載の受信器。
【請求項５】
前記計算ユニットが、前記少なくとも１つの合成重みの空間−時間ブロックデコードマトリクスを形成するように構成された、請求項１に記載の受信器。
【請求項６】
前記デコードマトリクスが、０、１及び−１を含む１組の値とは異なる少なくとも１つのマトリクスエレメントを含む、請求項５に記載の受信器。
【請求項７】
前記合成器が、次の式
2008518537.tif 000010
に従って合成を行うように構成される、請求項１に記載の受信器。
【請求項８】
前記合成器が、少なくとも２つのチャネルを介して送信された１つのシンボルを合成する閉ループ合成器を含む、請求項１に記載の受信器。
【請求項９】
前記閉ループ合成器は、各送信信号ｄがｗFBI,1ｄ＋ｗFBI,2ｄに等しくなるように合成を行い、ｗFBI,1ｄが、第１チャネルで送信される信号を表わし、ｗFBI,2ｄが、第２チャネルで送信される信号を表わし、ｗFBI,1が、第１の重みファクタであり、ｗFBI,2が、第２の重みファクタであり、前記合成が、次の式
2008518537.tif 000011
に基づいて行われる、請求項８に記載の受信器。
【請求項１０】
前記受信器が移動電話を含む請求項１に記載の受信器。
【請求項１１】
移動通信ネットワークにおける受信器であって、
少なくとも２つのチャネルを通して送信された信号を受信する手段と、
各送信チャネルに対してチャネル推定を形成する手段と、
前記受信された信号をチャネル特有のリニアフィルタでフィルタリングして、各チャネルにおける希望の信号に対して推定を得る手段と、
チャネル推定とフィルタ係数とを畳み込むことにより少なくとも１つの合成重みを形成する手段と、
前記形成された少なくとも１つの合成重みで前記受信された信号を重み付けすることによりフィルタ特有の重み付けされた信号を形成する手段と、
前記フィルタ特有の重み付けされた信号を合成して、前記送信された信号に対する推定を得る手段と、
を備えたことを特徴とする受信器。
【請求項１２】
チャネル推定とフィルタ係数とを畳み込むことにより少なくとも１つの合成重みを形成する計算ユニットと、
フィルタされた信号を前記少なくとも１つの合成重みで重み付けすることにより少なくとも２つのフィルタ特有の重み付けされた信号を形成し、該少なくとも２つのフィルタ特有の重み付けされた信号を合成する、ように構成された合成器と、
を備えたことを特徴とする移動端末のためのサブアセンブリ。
【請求項１３】
送信器と受信器とを備え、
前記送信器が、送信ダイバーシチを適用して少なくとも２つの送信チャネルを与えるように構成され、
前記受信器が、
前記少なくとも２つの送信チャネルで送信された信号を受信し、
各送信チャネルに対してチャネル推定を形成し、
前記受信された信号をチャネル特有のリニアフィルタでフィルタリングして、各送信チャネルにおける希望の信号に対する推定を得て、
チャネル推定とフィルタ係数とを畳み込むことにより少なくとも１つの合成重みを形成し、
前記受信された信号を前記形成された少なくとも１つの合成重みで重み付けすることによりフィルタ特有の重み付けされた信号を形成し、
前記フィルタ特有の重み付けされた信号を合成して、前記送信された信号に対する推定を得る、
ように構成されたことを特徴とする移動通信システム。
【請求項１４】
送信ダイバーシチを適用することにより少なくとも２つの送信チャネルで送信された信号を受信し、
各送信チャネルに対してチャネル推定を形成し、
前記受信された信号をチャネル特有のリニアフィルタでフィルタリングして、各チャネルにおける希望の信号に対する推定を与え、
チャネル推定とフィルタ係数とを畳み込むことにより少なくとも１つの合成重みを形成し、
前記形成された少なくとも１つの合成重みで前記フィルタリングされた信号を重み付けすることによりフィルタ特有の重み付けされた信号を形成し、
前記フィルタ特有の重み付けされた信号を合成して、前記送信された信号に対する推定を得る、
というステップを実施するためのソフトウェアコード部分を含むことを特徴とするソフトウェア製品。
【請求項１５】
少なくとも２つの送信チャネルを介して信号を送信するステップと、
前記少なくとも２つの送信チャネルで送信された信号を受信するステップと、
各送信チャネルに対してチャネル推定を形成するステップと、
前記受信された信号をチャネル特有のリニアフィルタでフィルタリングして、各チャネルにおける希望の信号に対する推定を与えるステップと、
チャネル推定とフィルタ係数とを畳み込むことにより少なくとも１つの合成重みを形成するステップと、
前記形成された少なくとも１つの合成重みで前記フィルタリングされた信号を重み付けすることによりフィルタ特有の重み付けされた信号を形成するステップと、
前記フィルタ特有の重み付けされた信号を合成して、前記送信された信号に対する推定を得るステップと、
を含むことを特徴とする移動通信ネットワークにおいて信号を処理する方法。
【発明の詳細な説明】
【技術分野】
【０００１】
本発明は、移動通信ネットワークにおける信号の受信に係り、より詳細には、送信ダイバーシチを適用するネットワークにおける信号の受信に係る。
【０００２】
関連出願へのクロスレファレンス：仮出願ではないこの特許出願は、２００４年１０月２９日に出願された米国仮出願第６０／６２２，７９５号の利益を請求するものである。この先の出願の開示は、その全体を参考としてここに援用する。
【背景技術】
【０００３】
第三世代の移動システムは、例えば、インターネットのビジュアルサービス及び効果的利用を含む複数の用途をユーザに提供することを目的とする。この新規な通信方法は、ネットワーク容量及びサービスクオリティに新たな要求を課する。
【０００４】
第三世代ネットワークの１つの技術は、ワイドバンドコード分割多重アクセス（ＷＣＤＭＡ）である。高速ダウンリンクパケットアクセス（ＨＳＤＰＡ）は、ＣＤＭＡダウンリンクに高レートデータ送信を与えてマルチメディアサービスをサポートするＷＣＤＭＡのキー特徴である。
【０００５】
ＷＣＤＭＡの場合に、受信信号におけるフェージングの悪影響を減少することによりクオリティを改善する１つの方法は、送信ダイバーシチである。互いに変更された少なくとも２つの信号インスタンスが少なくとも２つのチャネルを経て送信される。送信ダイバーシチを実施するための２つの主たる方法が導入されており、それらは、閉ループ送信ダイバーシチモード、及びＳＴＴＤ（空間−時間ブロックコードベースの送信アンテナダイバーシチ）モードである。閉ループ送信ダイバーシチモードでは、拡散複素数値信号が異なるアンテナ岐路に供給され、アンテナ特有の重みファクタで重み付けされる。重みファクタ、通常、複素数値信号は、受信器（ターミナル）により決定され、そしてネットワークに信号される。ＳＴＴＤエンコードでは、記号を、例えば、異なる順序及び／又は複素共役で異なる送信アンテナへ伝達することができる。
【０００６】
図１は、ＳＴＴＤを使用する送信器及び受信器の主たる構造を示している。図１において、信号に送信ダイバーシティを与えるために送信器１００に空間−時間ブロックコードが適用される。空間−時間ブロックコードユニット１０２へ到来する信号ｄは、２つの記号ｄ1及びｄ2を含む。空間−時間ブロックコードユニットからの出力として、２つの異なる変更信号インスタンスが、記号ｄ1及びｄ2を使用することにより得られる。次に示す第１インスタンス
2008518537.tif 000003
では、記号ｄ1がｄ2の前に送信される。次に示す第２インスタンス
2008518537.tif 000004
では、ｄ2のマイナス符号の複素共役が、複素共役ｄ1の前に送信される。
【０００７】
形成された信号は、拡散ユニット１０４にユーザの拡散コードを使用することにより拡散される。拡散された信号は、送信アンテナへ送られて、送信チャネル１０６Ａ及び１０６Ｂが確立される。合成器１０８は、無線経路で行なわれる合成に強調する。
【０００８】
受信器１２０は、２つのリニアフィルタ１２４Ａ及び１２４Ｂにおいて信号を受信し、第１フィルタ１２４Ａは、チャネル１を受信し、そして第２フィルタ１２４Ｂは、チャネル２を受信する。出力として、第１リニアフィルタは、次の式（１）に従って希望の信号ｒ1を発生する。
2008518537.tif 000005
【０００９】
これに対応して、出力として、第２の受信岐路は、次の式（２）に従って信号ｒ2を発生する。
2008518537.tif 000006
【００１０】
受信器において、特定のアンテナ（チャネル）をできるだけ最適に受信しようと試みるのに加えて、各イコライザは、イコライザの出力において他のアンテナの干渉を抑制するようにも試みる。イコライザの出力は、ＳＴＴＤデコーダ１４０Ａ、１４０Ｂ及び加算器１４２を含む合成器で合成されて、送信信号の推定を与える。
従来、ＳＴＴＤ合成は、次のルール（３）に従って実行される。
2008518537.tif 000007
【発明の開示】
【発明が解決しようとする課題】
【００１１】
ＳＴＴＤデコーダ１４０Ａ及び１４０Ｂの出力は、加算器１４２において合成されて、送信信号ｄの推定を形成する。従来の合成は、干渉信号の相互打消しに頼っているが、もっと有効なやり方を利用することができる。
【課題を解決するための手段】
【００１２】
従って、本発明の目的は、移動通信ネットワークにおいて信号を受信するための改良された方法及び受信器を提供することである。
【００１３】
本発明の１つの態様では、移動通信ネットワークの受信器において、少なくとも２つのチャネルで送信された信号を受信するための受信ユニットと、各送信チャネルのチャネル推定を形成するためのチャネル推定器と、少なくとも２つのリニアフィルタであって、その各々が、チャネルで受信した信号をフィルタリングするように構成され、且つその各々が、フィルタリングを定義するフィルタ係数を有するようなリニアフィルタと、チャネル推定及びフィルタ係数を畳み込みすることにより少なくとも１つの合成重みを形成するための計算ユニットと、フィルタリングされた信号を少なくとも１つの合成重みで重み付けすることにより少なくとも２つのフィルタ特有の重み付けされた信号を形成し、そして少なくとも２つのフィルタ特有の重み付けされた信号を合成して、送信信号の推定を与えるように構成された合成器と、を備えた受信器が提供される。
【００１４】
本発明の別の態様では、移動通信ネットワークの受信器において、少なくとも２つのチャネルで送信された信号を受信する手段と、各送信チャネルのチャネル推定を形成する手段と、チャネル特有のリニアフィルタで受信信号をフィルタリングして、各チャネルにおける希望の信号の推定を与える手段と、チャネル推定及びフィルタ係数を畳み込みすることにより少なくとも１つの合成重みを形成する手段と、前記形成された少なくとも１つの合成重みで受信信号を重み付けすることによりフィルタ特有の重み付けされた信号を形成する手段と、前記フィルタ特有の重み付けされた信号を合成して、送信信号の推定を与える手段と、を備えた受信器が提供される。
【００１５】
本発明の別の態様では、チャネル推定及びフィルタ係数を畳み込みすることにより少なくとも１つの合成重みを形成する計算ユニットと、フィルタされた信号を少なくとも１つの合成重みで重み付けすることにより少なくとも２つのフィルタ特有の重み付けされた信号を形成すると共に、その少なくとも２つのフィルタ特有の重み付けされた信号を合成するように構成された合成器と、を備えた移動ターミナルのためのサブアセンブリが提供される。
【００１６】
本発明の別の態様では、送信器及び受信器を備えた移動通信システムにおいて、送信器は、送信ダイバーシチを適用して少なくとも２つの送信チャネルを与えるように構成され、そして受信器は、少なくとも２つのチャネルで送信された信号を受信し、各送信チャネルのチャネル推定を形成し、チャネル特有のリニアフィルタで受信信号をフィルタリングして、各送信チャネルにおける希望の信号の推定を与え、チャネル推定及びフィルタ係数を畳み込みすることにより少なくとも１つの合成重みを形成し、前記形成された少なくとも１つの合成重みで受信信号を重み付けすることによりフィルタ特有の重み付けされた信号を形成し、前記フィルタ特有の重み付けされた信号を合成して、送信信号の推定を与える、というように構成された移動通信システムが提供される。
【００１７】
本発明の別の態様では、送信ダイバーシチを適用することにより少なくとも２つの送信チャネルで送信された信号を受信し、各送信チャネルのチャネル推定を形成し、チャネル特有のリニアフィルタで受信信号をフィルタリングして、各チャネルにおける希望の信号の推定を与え、チャネル推定及びフィルタ係数を畳み込みすることにより少なくとも１つの合成重みを形成し、前記形成された少なくとも１つの合成重みで前記フィルタリングされた信号を重み付けすることによりフィルタ特有の重み付けされた信号を形成し、前記フィルタ特有の重み付けされた信号を合成して、送信信号の推定を与える、というステップを実施するためのソフトウェアコード部分を備えたソフトウェア製品が提供される。
【００１８】
本発明の別の態様では、少なくとも２つの送信チャネルを経て信号を送信するステップと、少なくとも２つの送信チャネルで送信された信号を受信するステップと、各送信チャネルのチャネル推定を形成するステップと、チャネル特有のリニアフィルタで受信信号をフィルタリングして、各チャネルにおける希望の信号の推定を与えるステップと、チャネル推定及びフィルタ係数を畳み込みすることにより少なくとも１つの合成重みを形成するステップと、前記形成された少なくとも１つの合成重みで前記フィルタリングされた信号を重み付けすることによりフィルタ特有の重み付けされた信号を形成するステップと、前記フィルタ特有の重み付けされた信号を合成して、送信信号の推定を与えるステップと、を備えた移動通信ネットワークで信号を処理する方法が提供される。
【００１９】
従って、本発明は、移動通信ネットワークにおいて信号を受信することに係る。本発明による移動ネットワークは、例えば、ワイドバンドコード分割多重アクセス（ＷＣＤＭＡ）無線技術を使用するユニバーサルモバイルテレホニーシステム（ＵＭＴＳ）である。本発明は、例えば、高速ダウンリンクパケットアクセス（ＨＳＤＰＡ）を使用するネットワークに適用することができる。
【００２０】
本発明において、送信器と受信器との間に接続が確立される。一実施形態では、送信器は、移動ネットワークのベースステーションであり、又はＵＭＴＳを参照すれば、ノードＢである。このような場合に、受信器は、ネットワークに接続される移動ターミナルである。本発明の別の態様では、送信器が移動ターミナルであり、受信器がベースステーション／ノードＢである。移動ターミナルは、例えば、移動電話又はラップトップコンピュータである。
【００２１】
本発明において、送信器は、送信ダイバーシチを適用することにより接続を与え、送信ダイバーシチは、例えば、空間−時間ブロックコード化又は閉ループ重み付けにより与えることができる。信号は、異なる送信アンテナを経て送信され、少なくとも２つの送信チャネルを与えることができる。本発明により処理されるべき論理的チャネルは、いずれのチャネルでもよい。
【００２２】
送信チャネルは、受信器において別々に受信され、チャネルごとに受信岐路が設けられる。受信器において、受信チャネルが推定され、１つ以上のチャネル係数を含むチャネルインパルス応答が与えられる。チャネル係数は、受信チャネルにおける異なる多経路成分の受信振幅、位相及び遅延を示す。各チャネルは、例えば、レーキ(rake)受信器又はイコライザであるリニアフィルタにおいてフィルタリングされる。各リニアフィルタのフィルタリングは、フィルタ特有のフィルタ係数により特徴付けられる。
【００２３】
フィルタリングされた信号は、更に、受信器において操作されて、全ての希望の信号成分が収集される。この操作は、各々チャネル及びフィルタの畳み込みである１つ以上の合成重みを形成することに基づく。従って、第１チャネルをフィルタリングする第１フィルタの出力は、第２チャネルで受信された信号に存在する信号成分で減少することにより補正することができる。
【００２４】
別々に処理されたチャネル信号は、最終的に合成されて、送信信号の推定を与える。
【００２５】
本発明による方法及び装置は、受信信号のクオリティを改善することができる。
【発明を実施するための最良の形態】
【００２６】
以下、添付図面を参照して、本発明の好ましい実施形態を詳細に説明する。
本発明の一実施形態において、ネットワークは、ＷＣＤＭＡ技術を適用するＵＭＴＳネットワークである。以下、図２を参照してＵＭＴＳネットワークの構造を簡単に説明する。
【００２７】
構造的に、ＷＣＤＭＡは、コアネットワーク（ＣＮ）２００と、ＵＭＴＳ地上無線アクセスネットワーク（ＵＴＲＡＮ）２２０と、ユーザ装置（ＵＥ）２４０とに分割することができる。コアネットワーク及びＵＴＲＡＮは、ワイヤレステレコミュニケーションシステムのネットワークインフラストラクチャーの一部分である。
【００２８】
コアネットワークは、Ｉｕ  ＰＳインターフェイスを経てＵＴＲＡＮに接続されたサービングＧＰＲＳサポートノード（ＳＧＳＮ）２０２を備えている。このＳＧＳＮは、コアネットワークのパケット交換ドメインの中心点を表わし、そしてＳＧＳＮの主たるタスクは、ＵＴＲＡＮを使用するユーザ装置へ／からパケットを送信／受信することである。ＳＧＳＮは、ユーザ装置に関連した加入者及び位置情報を含むことができる。
【００２９】
ＵＴＲＡＮは、少なくとも１つの無線ネットワークサブシステム（ＲＮＳ）２２２Ａ、２２２Ｂを備え、その各々は、少なくとも１つの無線ネットワークコントローラ（ＲＮＣ）２２４Ａ、２２４Ｂ、及びこのＲＮＣにより制御される少なくとも１つのノードＢ２２６Ａ−２２６Ｄを含む。ノードＢは、Ｕｕ無線インターフェイスを実施し、これを通して、ユーザ装置がネットワークインフラストラクチャーにアクセスすることができる。
【００３０】
ユーザ装置又は移動ターミナルは、移動装置（ＭＥ）２４２及びＵＭＴＳ加入者アイデンティティモジュール（ＵＳＩＭ）２４４である２つの部分を含むことができる。移動装置は、Ｕｕインターフェイスを与えるための高周波部分２４６を含む。ユーザ装置は、更に、デジタル信号プロセッサ２４８、メモリ２５０、及びコンピュータプロセスを実行するためのコンピュータプログラムを含むことができる。ユーザ装置は、更に、アンテナ、ユーザインターフェイス、及びバッテリを含むことができる。ＵＳＩＭは、ユーザ関係情報と、暗号アルゴリズムのような情報セキュリティに関係した情報とを含む。
【００３１】
図３は、本発明による構成体の一例を示す。送信器では、送信されるべき記号ｄ1は、重み付けモジュール３０２において、アンテナ特有の重み付けファクタｗFBI,1及びｗFBI,2で重み付けされる。重み付けファクタは、例えば、複素数値信号ｗFBI,i＝ａi＋ｊｂiである。出力として、２つの異なる重み付け記号ｗFBI,1ｄ1及びｗFBI,2ｄ1が拡散ユニット３０４に対して得られる。図３は、拡散前の信号の重み付けを示しているが、重み付けは、拡散後に行うこともできる。
【００３２】
重み付けファクタは、これを受信器により決定してネットワークへ信号することができる。ＨＳＤＰＡの場合には、重み付けファクタは、アップリンクＤＰＣＣＨ（専用物理的制御チャネル）チャネルにおいてＦＢＩ（フィードバック情報）フィールドのＤサブフィールドを使用してネットワークへ送信することができる。
【００３３】
閉ループモードは、同じ又は異なるＣＰＩＣＨ（共通パイロットチャネル）パイロット記号のいずれかを両チャネルに適用することができる。受信器は、パイロット記号を使用して、チャネル間を分離することができる。
【００３４】
重みの計算において、一方の重みを一定に保持しながら、他方の重みを、連続スロットの受信位相に基づいて決定することができる。
【００３５】
受信器３２０において、チャネルは、処理ユニット３２４Ａ、３２４Ｂ、３２６Ａ、３２６Ｂで別々に処理され、そして異なるチャネルが合成器３３０で合成されて、送信信号の推定を与える。
【００３６】
又、合成器は、チャネル１で受信した信号の推定を行うときにチャネル２で受信した信号を使用し、そしてその逆も行うように構成される。一実施形態では、送信信号の推定は、合成器３３０において、次のように形成される。
2008518537.tif 000008
送信器に使用されるアンテナ重みは、フィードバック情報を与えるユニット３３４において推定することができ、そして推定された重みは、式（４）で示すように合成に使用すべく合成器３３０へ送信することができる。或いは又、受信器は、それが送信器へ送信した重みが送信器により使用されると仮定することができ、そして重みは、式（４）で示すように合成に使用すべく合成器３３０へ送信することができる。
【００３７】
２つの計算ユニット３３２Ａ及び３３２Ｂをもつのではなく、単一のユニットで重みの計算を行うこともできる。
【００３８】
図４は、送信器及び受信器の更に別の実施形態を示す。送信器４００は、ダイバーシチ送信ユニット４０２を含む。送信ダイバーシチは、例えば、空間−時間ブロックコード化により達成することができる。２つの信号は、拡散ユニット４０４においてワイドバンド信号に拡散することができる。送信器は、更に、送信器４００から２つの送信チャネルを送信するために２つの送信アンテナ４０６Ａ及び４０６Ｂを備えている。２つのチャネルは、合成記号４０８で示すように、無線経路上で合流する。
【００３９】
２つのチャネルは、受信器４２０で受信され、チャネルごとに別々の受信岐路があるようにされる。受信器は、チャネルを推定するためのチャネル推定ユニットを含むことができる。このチャネル推定ユニット４２２は、受信チャネルからチャネルインパルス応答を形成することができる。チャネルインパルス応答は、チャネル上の異なる多経路成分の遅延、振幅及び位相を示すチャネル係数により特徴付けされる。
【００４０】
受信され推定された信号は、リニアフィルタ４２４Ａ及び４２４Ｂにおいてフィルタリングされる。本発明によるリニアフィルタは、例えば、レーキ(rake)受信器又はイコライザである。リニアフィルタ４２４Ａ及び４２４Ｂは、各々、フィルタリング係数Ｗ１及びＷ２により特徴付けされる。フィルタリングされた信号は、拡散除去(despread)ユニット４２６Ａ及び４２６Ｂにおいて拡散除去することができる。
【００４１】
合成器４３０は、フィルタ特有の信号を合成する。合成のために、合成器は、重み計算ユニット４３２Ａ及び４３２Ｂから入力値を取り上げることができる。例えば、重み計算ユニット４３２Ａは、チャネル１とフィルタ１との間の畳み込みである係数ｈ1,1を与えることができる。係数ｈ2,1は、チャネル係数ｃ2とフィルタ係数ｗ1との間の畳み込みを示す。従って、重み計算ユニット４３２Ａは、チャネル１で受信される信号を調整するのに必要な係数を与える。又、重み計算ユニット４３２Ｂは、チャネル２で受信される信号を変更するのに必要な係数を合成器に与える。合成器及び計算ユニットで実行される機能は、次の式（５）で表わされる。
2008518537.tif 000009
【００４２】
本発明の合成器により与えられる効果は、望ましからぬ信号をチャネル信号から効果的に減少できることである。チャネル１で受信される信号の場合には、望ましからぬ信号は、チャネル２で受信されるがフィルタ１に存在する信号である。
【００４３】
合成器の出力として、オリジナル信号ｄの推定が得られる。
【００４４】
図５は、本発明による方法の一実施形態を示す。５０２において、送信ダイバーシチを適用することによりベースステーション又はノードＢのような送信器から信号が送信される。送信ダイバーシチは、２つの個別の送信アンテナを経て信号を送信して、２つの送信チャネルを確立することにより与えることができる。
【００４５】
５０４では、チャネルが受信器において推定され、そして５０６では、チャネルを経て受信された信号がリニアフィルタによりフィルタリングされる。５０８では、各チャネルを各フィルタで畳み込みすることにより重み係数を形成することができる。従って、２つのチャネル及び２つのフィルタの場合に、４つの重み係数が計算される。５１０では、チャネル特有の信号が形成され、次いで、５１２において、合成されて、送信信号の推定を与える。
【００４６】
本発明の実施形態では、コンピュータにダウンロードすることができ、そして実行時に、本発明の方法ステップを実施するように構成されたソフトウェア製品が提供される。従って、一実施形態では、本発明の方法により定義される機能を与えるためのソフトウェア製品が提供される。本発明の特徴は、ソフトウェア、ＡＳＩＣ（特定用途向け集積回路）、ロジックコンポーネントにより、又はそれに対応するあるやり方で、実施することができる。
【００４７】
当業者であれば、技術の進歩に伴い、本発明の概念を種々のやり方で実施できることが明らかであろう。本発明及びその実施形態は、上述した例に限定されず、特許請求の範囲内で変更してもよい。
【図面の簡単な説明】
【００４８】
【図１】従来の信号処理を示す図である。
【図２】本発明によるネットワークの一実施形態を示す図である。
【図３】本発明による構成体の別の実施形態を示す図である。
【図４】本発明による構成体の更に別の実施形態を示す図である。
【図５】本発明による方法の一実施形態を示す図である。
【図１】
2008518537.tif 000012
【図２】
2008518537.tif 000013
【図３】
2008518537.tif 000014
【図４】
2008518537.tif 000015
【図５】
2008518537.tif 000016
【国際調査報告】
2008518537.tif 000017
2008518537.tif 000018
2008518537.tif 000019